(57)【要約】【課題】  後方散乱による画質劣化を低減しながらも、放射線の漏洩を防止することが可能なフラットパネル型放射線検出器を提供すること。【解決手段】  フラットパネル型放射線検出器は、放射線変換膜１１と、ＴＦＴ１２と、原子番号が１２以上３０以下の金属または実効原子番号１２以上３０以下の合金からなり、そこに直接入射した放射線は通過させるが散乱した放射線は通過させない第１金属板１３と、原子番号が７３以上の金属または実効原子番号７３以上の合金からなり、放射線を通過させない第２金属板１４と、電気回路基板１５とが、この順に積層された構成を有する。【選択図】        図２
2010197084.tif 000002
【特許請求の範囲】
【請求項１】
入射した放射線量を電気信号に変換するための放射線変換膜と、
直接入射した放射線は通過させるが、散乱した放射線は通過させない第１金属板と、
放射線を通過させない第２金属板と、
をこの順に積層したことを特徴とするフラットパネル型放射線検出装置。
【請求項２】
請求項１に記載のフラットパネル型放射線検出装置において、
前記放射線変換膜と前記第１金属板との間に、薄膜トランジスターを配設したフラットパネル型放射線検出装置。  
【請求項３】
請求項２に記載のフラットパネル型放射線検出装置において、
前記第２の金属板における前記第１金属板と逆側には、電気回路基板が配置されるフラットパネル型放射線検出装置。
【請求項４】
請求項１乃至請求項３のいずれかに記載のフラットパネル型放射線検出装置において、
前記第１金属板は、原子番号が１２以上３０以下の金属または実効原子番号が１２以上３０以下の合金から成るフラットパネル型放射線検出装置。
【請求項５】
請求項１乃至請求項３のいずれかに記載のフラットパネル型放射線検出装置において、
前記第２金属板は、原子番号が７３以上の金属または実効原子番号が７３以上の合金から成るフラットパネル型放射線検出装置。
【請求項６】
請求項１乃至請求項３のいずれかに記載のフラットパネル型放射線検出装置において、
前記第１金属板は銅板であり、前記第２金属板は鉛板であるフラットパネル型放射線検出装置。
【発明の詳細な説明】
【技術分野】
【０００１】
この発明は、フラットパネル型放射線検出器に関する。
【背景技術】
【０００２】
フラットパネル型放射線検出器はフラットパネルディテクタ（ＦＰＤ）とも呼称されるものであり、ＴＦＴ（薄膜トランジスター）上に放射線変換膜が積層された構成を有し、放射線を放射線変換膜を利用して電気信号に変換するものである。この電気信号は画像処理部において画像処理され、放射線画像が作成される。
【０００３】
このフラットパネル型放射線検出器においては、後方散乱により発生した散乱光は、放射線画像の画質の劣化を生ずる（特許文献１参照）。
【先行技術文献】
【特許文献】
【０００４】
【特許文献１】特開２００８−５２０３１５
【発明の概要】
【発明が解決しようとする課題】
【０００５】
このようなフラットパネル型放射線検出器においては、放射線が放射線変換膜を通過して漏洩を防止することや、放射線変換膜の裏面側に配置される電気回路基板を保護することを目的として、一般的に、放射線変換膜の裏面側には、放射線の漏洩防止用の金属板が取り付けられている。この金属板の材質としては、放射線の漏洩をより確実に防止するため、原子番号の大きな重金属が採用されている。
【０００６】
しかしながら、放射線変換膜の裏面側にこのような重金属でできた金属板を取り付けた場合には、放射線変換膜を通過した放射線がこの金属板の表面で後方散乱する。このような後方散乱により発生した散乱光が放射線変換膜に入射された場合には、ＭＴＦ（Ｍｏｄｕｌａｔｉｏｎ  Ｔｒａｎｓｆｅｒ  Ｆｕｎｃｔｉｏｎ）で現される先鋭度の劣化等の画質劣化が生ずることになる。
【０００７】
この発明は上記課題を解決するためになされたものであり、後方散乱による画質劣化を低減しながらも、放射線の漏洩を防止することが可能なフラットパネル型放射線検出器を提供することを目的とする。
【課題を解決するための手段】
【０００８】
請求項１に記載の発明は、入射した放射線量を電気信号に変換するための放射線変換膜と、直接入射した放射線は通過させるが、散乱した放射線は通過させない第１金属板と、放射線を通過させない第２金属板と、をこの順に積層したことを特徴とする。
【０００９】
請求項２に記載の発明は、請求項１に記載の発明において、前記放射線変換膜と前記第１金属板との間に、薄膜トランジスターを配設した。  
【００１０】
請求項３に記載の発明は、請求項２に記載の発明において、前記第２金属板における前記第１金属板と逆側には、電気回路基板が配置される。
【００１１】
請求項４に記載の発明は、請求項１乃至請求項３のいずれかに記載の発明において、前記第１金属板は、原子番号が１２以上３０以下の金属または実効原子番号が１２以上３０以下の合金から成る。
【００１２】
請求項５に記載の発明は、請求項１乃至請求項３のいずれかに記載の発明において、前記第２金属板は、原子番号が７３以上の金属または実効原子番号が７３以上の合金から成る。
【００１３】
請求項６に記載の発明は、請求項１乃至請求項３のいずれかに記載の発明において、前記第１金属板は銅板であり、前記第２金属板は鉛板である。
【発明の効果】
【００１４】
請求項１および請求項２に記載の発明によれば、後方散乱による画質劣化を低減しながらも、放射線の漏洩を防止することが可能となる。
【００１５】
請求項３に記載の発明によれば、放射線により電気回路基板が損傷することを防止することが可能となる。
【００１６】
請求項４に記載の発明によれば、第１金属板の作用により、第２金属板の表面で散乱した放射線が放射線変換膜に入射されることを有効に防止することが可能となる。
【００１７】
請求項５に記載の発明によれば、第２金属板の作用により、第１金属板を通過した放射線が漏洩することを有効に防止することが可能となる。
【００１８】
請求項６に記載の発明によれば、銅板と鉛板との組み合わせにより、後方散乱による画質劣化と放射線の漏洩を特に有効に防止することが可能となる。
【図面の簡単な説明】
【００１９】
【図１】この発明に係るフラットパネル型放射線検出器１を適用した放射線撮像装置の概要図である。
【図２】この発明に係るフラットパネル型放射線検出器２の断面構造を示す説明図である。
【発明を実施するための形態】
【００２０】
以下、この発明の実施の形態を図面に基づいて説明する。まず、この発明に係るフラットパネル型放射線検出器２を適用した放射線撮像装置の構成について説明する。図１は、この発明に係るフラットパネル型放射線検出器２を適用した放射線撮像装置の概要図である。
【００２１】
この放射線撮像装置は、Ｘ線管等の放射線管１からテーブル３上の被検体４に向けて放射線を照射し、被検体４を通過した放射線をこの発明に係るフラットパネル型放射線検出器２により検出し、検出された放射線に基づいて放射線画像を得るものである。この放射線撮像装置は、フラットパネル型放射線検出器２により検出され、図示しない画像処理部で画像処理された放射線による映像信号を利用して、放射線透視像を表示する図示しない画像表示部を備える。
【００２２】
次に、この発明に係るフラットパネル型放射線検出器２の構成について説明する。図２は、この発明に係るフラットパネル型放射線検出器２の断面構造を示す説明図である。なお、この図２においては、フラットパネル型放射線検出器２の配置が、図１に対して上下が逆となっている。
【００２３】
この発明に係るフラットパネル型放射線検出器２は、ａ−Ｓｅ（アモルファスセレン）膜やＣｄＴｅ（テルル化カドミウム）膜等の放射線変換膜１１と、ＴＦＴ（薄膜トランジスター）１２と、第１金属板１３と、第２金属板１４と、電気回路基板１５とが、この順に積層された構成を有する。放射線変換膜１１の表面には共通電極１７が形成されており、放射線変換膜１１のＴＦＴ１２側には画素電極１６が形成されている。共通電極１７は、放射線変換膜１１に対して高圧のバイアス電圧を付与する。放射線変換膜１１に入射した放射線は電荷信号に変換され、ＴＦＴ１２のオンオフ動作により、画素電極１６を介して信号として取り出される。
【００２４】
このフラットパネル型放射線検出器２においては、放射線変換膜１１およびＴＦＴ１２を利用して電気信号に変換された放射線情報は、図示しない画像処理部において画像処理され、放射線画像が作成される。電気回路基板１５は、フラットパネル型放射線検出器２を電気的に制御するために使用される。
【００２５】
第１金属板は１３は、そこに直接入射した放射線は通過させるが、散乱した放射線は通過させない金属または合金から構成される。原子番号が１２以上３０以下の金属または実効原子番号１２以上３０以下の合金が、このような機能を備えている。これらの条件に適合する金属のうち、アルミニウム（Ａｌ／原子番号１３）、クロム（Ｃｒ／原子番号２４）、鉄（Ｆｅ／原子番号２６）、コバルト（Ｃｏ／原子番号２７）、ニッケル（Ｎｉ／原子番号２８）、銅（Ｃｕ／原子番号２９）、亜鉛（Ｚｎ／原子番号３０）等が、一般的に使用しやすい金属となっている。
【００２６】
ここで、「実効原子番号」とは、合金を構成する各金属の原子番号をモル比に基づいて平均化したときの原子番号を意味する。例えば、鉄（原子番号２６）と亜鉛（原子番号３０）のモル比が１：１で構成された合金の場合、実効原子番号は２８となる。
【００２７】
第２金属板１４は、放射線を通過させない金属または合金から構成される。原子番号が７３以上の金属または実効原子番号７３以上の合金がこのような機能を備えている。これらの条件に適合する金属のうち、タンタル（Ｔａ／原子番号７３）、タングステン（Ｗ／原子番号７４）、金（Ａｕ／原子番号７９）、鉛（Ｐｂ／原子番号８２）等が、一般的に使用しやすい金属となっている。
【００２８】
このような構成を有するフラットパネル型放射線検出器２に放射線が照射された場合、この放射線は、放射線変換膜１１およびＴＦＴ１２を利用して電気信号に変換される。放射線変換膜１１およびＴＦＴ１２を通過した高エネルギーの放射線は、第１金属板１３の表面に到達するが、その大部分が第１金属板１３を通過する。このため、第１金属板１３の表面で後方散乱はほとんど発生しない。
【００２９】
第１金属板１３を通過した放射線は、第２金属板１４の表面に到達する。この第２金属板１４は原子番号が７３以上の重金属または実効原子番号７３以上の合金から構成されていることから、その表面に到達した放射線が第２金属板１４を通過することはない。このため、放射線の漏洩を防止することが可能となり、また、電気回路基板１５が損傷を受けることはない。
【００３０】
但し、この第２金属板１４の表面においては、後方散乱が生じ、散乱した放射線が発生する。しかしながら、第１金属板１３は、原子番号が１２以上３０以下の金属または実効原子番号１２以上３０以下の合金から構成されていることから、上述したような直接入射した放射線は通過させるが、第２金属板１４の表面において反射し、散乱した放射線は通過させない。このため、後方散乱により発生した散乱した放射線はここで吸収され、散乱した放射線が放射線変換膜１１に到達することはない。このため、後方散乱により発生した散乱光に起因する先鋭度の劣化等の画質劣化を生ずることを、有効に防止することが可能となる。
【００３１】
第１金属板１３と第２金属板１４との組み合わせとしては、上述した条件の下、種々のものを使用することができる。なお、本発明者の研究によると、第１金属板１３として銅板を採用し、第２金属板１４として鉛板を採用した場合には、後方散乱による画質劣化と放射線の漏洩を特に有効に防止できることが確認されている。
【符号の説明】
【００３２】
１      放射線管
２      フラットパネル型放射線検出器
３      テーブル
４      被検体
１１    放射線変換膜
１２    ＴＦＴ
１３    第１金属板
１４    第２金属板
１５    電気回路基板
１６    画素電極
１７    共通電極
【図１】
2010197084.tif 000003
【図２】
2010197084.tif 000004